(57)【要約】【課題】パチンコ玉通過時におけるチャタリングを防止でき、玉通過時に確実に信号を出力することが困難であった。【解決手段】通路１０ａ内を通過するパチンコ玉に応じて回動するレバー１２は弾性部材からなる作動子１３を駆動する。作動子１３の中央部には可動接片１４が当接されている。作動子１３はレバー１２の振動を吸収し、可動接片１４におけるチャタリングを防止する。【選択図】　　図１
2004141494.tif 000002
【特許請求の範囲】
【請求項１】
通路と、前記通路と隣接した収容部とを有する本体と、
中央部が前記通路と前記収容部の相互間に回動自在に保持され、第１の端部が前記通路内に配置され、第２の端部が前記収容部内に配置されたレバーと、
一端部が前記レバーの前記第２の端部に当接され、他端部が前記収容部内に保持され、前記レバーの動作に応じて前記一端部が駆動される板状の弾性部材により構成された作動子と、
前記収容部内に配置され、前記作動子の前記一端部と他端部の中央部に可動部が当接された弾性を有する可動接片と、
前記可動接片に対向して配置され、前記可動接片が当接される固定接片と
を具備することを特徴とするパチンコ玉検出器。
【請求項２】
前記可動接片は、前記作動子と直交して配置されていることを特徴とする請求項１記載のパチンコ玉検出器。
【発明の詳細な説明】
【０００１】
【発明の属する技術分野】
本発明は、例えばパチンコ台に配置され、通過するパチンコ玉を検出するパチンコ玉検出器に関する。
【０００２】
【従来の技術】
パチンコ台には、通過するパチンコ玉を検出し、カウント用のパルス信号を発生する検出器が配置されている。
【０００３】
一般に、この種のパチンコ玉検出器は、例えばパチンコ玉が通過する通路を有し、この通路内に検出用のレバーが配置されている。通路内をパチンコ玉が通過するとレバーが回動し、このレバーに直接接続されたスイッチの可動接片が駆動されるように構成されている（例えば、特許文献１、特許文献２、特許文献３参照）。
【０００４】
また、レバーとスイッチの可動接片との間に連結部材を介在した構成のものも開発されている（例えば、特許文献４、特許文献５参照）。
【０００５】
【特許文献１】
特開平８−３３２２６１号公報
【０００６】
【特許文献２】
登録実用新案３０７２９７９号公報
【０００７】
【特許文献３】
特開平８−１６４２４０号公報
【０００８】
【特許文献４】
実公平７−４９７０６号公報
【０００９】
【特許文献５】
特開平９−１８０５６６号公報
【００１０】
【発明が解決しようとする課題】
ところで、上記特許文献１，２，３に開示されているように、レバーとスイッチの可動接片が直接接続された構成の場合、通路にパチンコ玉が通過する際に発生したレバーの振動が直接可動接片に伝達される。このため、例えばパチンコ玉が通路内あるいは通路外でバウンドするとその振動によりレバー及び可動接片が振動し、チャタリングが発生することがある。
【００１１】
また、上記特許文献４，５に開示されているように、レバーと可動接片との間に連結部材が介在されている場合においても、連結部材が剛性を有する部材により構成されているため、レバーの振動が連結部材を介して可動接片に伝達され、可動接片が振動する。したがって、この場合もチャタリングが発生する虞を有している。
【００１２】
このように、チャタリングが発生した場合、検出器から出力されるパルス信号の数が増加する。このため、この信号が供給されるカウンタが誤動作するという問題を有している。
【００１３】
さらに、この種の検出器は、動作の安定化を図るため、可動接片と固定接片の間のギャップを各検出器において一定とする必要がある。しかし、この検出器は小型化が要求されており、これに伴い可動接片と固定接片のサイズも小型化されている。このため、製造上の誤差により、接点間のギャップを一定とすることが困難となっている。このような状況において、チャタリングの発生を抑えるためには、可動接片の剛性を高める等の対策が考えられる。しかし、可動接片の剛性を高めた場合、パチンコ玉によるレバーの駆動力を大きくする必要が有り、通路内にパチンコ玉が停滞する可能性が有るため得策ではない。
【００１４】
本発明は、上記課題を解決するためになされたものであり、その目的とするところは、パチンコ玉通過時におけるチャタリングを防止でき、玉通過時に確実に信号を出力することが可能なパチンコ玉検出器を提供しようとするものである。
【００１５】
【課題を解決するための手段】
本発明のパチンコ玉検出器は、上記課題を解決するため、通路と、前記通路と隣接した収容部とを有する本体と、中央部が前記通路と前記収容部の相互間に回動自在に保持され、第１の端部が前記通路内に配置され、第２の端部が前記収容部内に配置されたレバーと、一端部が前記レバーの前記第２の端部に当接され、他端部が前記収容部内に保持され、前記レバーの動作に応じて前記一端部が駆動される板状の弾性部材からなる作動子と、前記収容部内に配置され、前記作動子の前記一端部と他端部の中央部に可動部が当接された弾性を有する可動接片と、前記可動接片に対向して配置され、前記可動接片が当接される固定接片とを具備している。
【００１６】
前記可動接片は、前記作動子と直交して配置されている。
【００１７】
【発明の実施の形態】
以下、本発明の実施の形態について図面を参照して説明する。
【００１８】
図１、図２は、本発明のパチンコ玉検出器の実施形態を示すものであり、図１、図２は、パチンコ玉検出器を底面から見た状態を示している。図１、図２において、検出器本体１０は、パチンコ玉が通過する通路１０ａ、及び通路１０ａに隣接して配置された収容部１０ｂを有している。通路１０ａは、パチンコ玉の径より僅かに大きな径とされており、パチンコ玉がスムースに通過可能とされている。検出器本体１０には、カバー１１が装着可能とされ、このカバー１１により、この収容部１０ｂが覆われる。
【００１９】
通路１０ａと収容部１０ｂの相互間には切り欠き部１０ｃが形成されている。この切り欠き部１０ｃには、レバー１２の中央部に設けられた軸１２ｃが係合され、レバー１２は軸１２ｃを支点として回動自在に保持される。レバー１２の第１の端部１２ａは通路１０ａ内に配置され、第２の端部１２ｂは収容部１０ｂ内に配置されている。
【００２０】
収容部１０ｂ内には、例えば板状の弾性部材からなる作動子１３が配置されている。この作動子１３の一端部は、レバー１２の第２の端部１２ｂに当接され、他端部は収容部１０ｂ内に固定されている。収容部１０ｂ内には、可動接片１４が配置されている。この可動接片１４の可動部としての一端部は、作動子１３の中央部１３ｃに当接される。可動接片１４の一端部に対向して固定接片１５の一端部が配置されている。これら可動接片１４及び固定接片１５は、レバー１２と直交して配置されており、可動接片１４の他端部は、端子１６の一端部に固定され、固定接片１５の他端部は端子１７の一端部に固定されている。これら可動接片１４と固定接片１５は、弾性を有する金属により構成されている。また、端子１６、１７は収容部１０ｂ内に固定され、端子１６、１７の他端部は検出器本体１０の外部に信号出力端子として露出される。
【００２１】
図３（ａ）（ｂ）は、検出器本体１０を図示せぬパチンコ台に設置した状態を示している。図３（ａ）（ｂ）に示すように、レバー１２は、ほぼ作動子１３の弾性により第２の端部１２ｂがカバー１１の内面に当接されている。この状態において、レバー１２の一端部１２ａは、通路１０ａ内に位置されている。レバー１２の第１の端部１２ａは、テーパ部１２ｄを有している。このテーパ部１２ｄは、通路１０ａの入口側から出口側に沿って通路１０ａ内に入り込むように緩やかに傾斜されている。
【００２２】
また、この状態において、可動接片１４は作動子１３の中央部に当接され、可動接片１４は固定接片１５から所定距離離間されている。このため、可動接片１４と固定接片１５の相互間に所定のギャップＧが形成される。この実施形態の場合、固定接片１５は、端子１７にほぼ直線状に固定され、可動接片１４は端子１６から所定角度傾斜して固定されている。この傾斜角度は製造時に若干ばらつきがあるが、可動接片１４が作動子１３に当接した状態において、作動子１３の応力により、可動接片１４の位置が規定される。このため、可動接片１４と固定接片１５との間のギャップＧを各製品毎にほぼ一定に保持できる。
【００２３】
上記構成において、図３乃至図５を用いて動作について説明する。
【００２４】
通路１０ａにパチンコ玉がない場合、レバー１２、作動子１３、可動接片１４は、図３（ａ）（ｂ）に示す位置にあり、可動接片１４と固定接片１５とからなるスイッチはオフ状態となっている。
【００２５】
一方、図３（ａ）に示すように、通路１０ａにパチンコ玉２０が進入すると、レバー１２は、パチンコ玉２０により作動子１３の応力に抗して回動される。
【００２６】
この後、図４（ａ）に示すように、通路１０ａ内にさらにパチンコ玉２０が進入すると、作動子１３の一端部がレバー１２の第２の端部１２ｂにより回動される。これに伴い、可動接片１４が作動子１３により回動され、図４（ｂ）に示すように、固定接片１５に接触される。この状態において、スイッチがオン状態となる。すなわち、図４（ａ）に示すように、パチンコ玉２０の中央部（重心）が検出器本体１０の表面より、通路１０ａ内に進入したときスイッチがオン状態となる。
【００２７】
図５（ａ）に示すように、通路１０ａ内にさらにパチンコ玉２０が進入すると、作動子１３の一端部がレバー１２の第２の端部１２ｂにより一層回動され、図５（ｂ）に示すように、可動接片１４により固定接片１５が若干押し上げられる。すなわち、パチンコ玉２０の中心が通路１０ａの中央部より下方に移動した時点において、レバー１２の第１の端部１２ａが通路１０ａの内面とほぼ同位置に回動し、この状態において、可動接片１４と固定接片１５が接触子が状態のまま作動子１３によりさらに押し上げられる。したがって、固定接片１５はスイッチがオフ状態の位置より図５（ｂ）に示す距離Ｌだけ移動される。
【００２８】
この後、パチンコ玉２０が通路１０ａ内から出ると、可動接片１４と固定接片１５及び作動子１３は、それらの弾性力により図３（ａ）（ｂ）に示す位置に復帰し、レバー１２も作動子１３及び、レバー１２自体の自重により回動し、図３（ａ）に示す位置に復帰する。
【００２９】
上記実施形態によれば、可動接片１４とレバー１２の間に弾性部材からなる作動子１３を設けている。このため、通路１０ａ内にパチンコ玉２０が通過する際、レバー１２に加わる振動を作動子１３の弾性により吸収することができ、可動接片１４の不要な動作を防止できる。したがって、チャタリングを防止でき、正確なパルス信号を生成することができる。
【００３０】
しかも、可動接片１４は作動子１３に常時当接されており、パチンコ玉が通過した後、可動接片１４は固定接片１５から所定間隔離間したオフ状態を示す位置に作動子１３により設定される。このため、部品加工や組立時に高い精度を要求せず、常に安定した位置で次の動作を行うことが可能ある。したがって、長期間に亘る繰り返し使用に対しても安定した動作を得ることができる。
【００３１】
また、パチンコ玉２０の中央部（重心）が検出器本体１０の表面より、通路１０ａ内に進入したときスイッチがオン状態となり、通路１０ａ内をパチンコ玉２０が通過する際、固定接片１５は可動接片１４に接触した状態で撓み、さらに可動接片１４が、固定接片１５を押し込みながら接点の接触状態を保持する。このため、一層チャタリングを抑えて、正確なパルス信号を出力することができる。
【００３２】
しかも、スイッチがオン状態となるのは、パチンコ玉の中央部が検出器本体１０の表面より通路１０ａ内に進入したときであるため、通路１０ａ内に進入したパチンコ玉が通路１０ａの入口より再び飛び出すことを防止できる。したがって、一度オンとなった状態において、パチンコ玉が飛び出すことがないため、同じ玉を２度検出することを防止できる。
【００３３】
さらに、作動子１３は弾性部材により構成され、作動子１３の弾性により、可動接片１４の弾性とはほぼ無関係にレバー１２の初期状態の荷重を設定できる。したがって、通路１０ａ内にパチンコ玉が停滞することを防止できる。
【００３４】
また、可動接片１４及び固定接片１５は、作動子１３と直交方向に配置されている。このため、僅かなスペースに作動子１３、可動接片１４及び固定接片１５を配置することが可能であり、検出器本体１０を小型化することができる。
【００３５】
さらに、可動接片１４は作動子１３に当接し、その位置が規定されている。したがって、可動接片１４と固定接片１５との間のギャップを一定に保持することができるため、可動接片１４の製造誤差を吸収することができる。
【００３６】
尚、本発明は上記実施形態に限定されるものではなく、本発明の要旨を変えない範囲において種々変形実施可能なことは勿論である。
【００３７】
【発明の効果】
以上、詳述したように本発明によれば、パチンコ玉通過時におけるチャタリングを防止でき、玉通過時に確実に信号を出力することが可能なパチンコ玉検出器を提供できる。
【図面の簡単な説明】
【図１】本発明の実施形態を示すものであり、パチンコ玉検出器を底面から見た分解斜視図。
【図２】図１の組立状態を示す平面図。
【図３】図２に示すパチンコ玉検出器の動作を示す側断面図。
【図４】図３に続く動作を示す側断面図。
【図５】図４に続く動作を示す側断面図。
【符号の説明】
１０…検出器本体、
１０ａ…通路、
１０ｂ…収容部、
１２…レバー、
１３…作動子、
１４…可動接片、
１５…固定接片。
【図１】
2004141494.tif 000003
【図２】
2004141494.tif 000004
【図３】
2004141494.tif 000005
【図４】
2004141494.tif 000006
【図５】
2004141494.tif 000007